(57)【要約】【課題】ゴミ信号によって入力が変動する自動入力ポジションにおいても風量検出を行いゴミ集塵量満杯検知の報知や入力低減を行う使い勝手のよい電気掃除機を提供する。【解決手段】集塵室のゴミ量を風量で検出する風量検出手段（ゴミ集塵量検出手段）１４と、塵埃を検出するごみ検出手段１１と、前記ごみ検出手段１１からの信号を受けて複数段階に吸込み力を可変する制御手段とを備え、ごみ検出手段によって吸込み力が可変するように動作する動作ポジションにおいて、風量検出手段１４の出力に応じて、報知または吸込み力を変化させる電気掃除機とした。これにより、ゴミ信号によって入力が変動する自動入力ポジションにおいても風量検出が行われ、ゴミ集塵量を確認するためにポジションを変える必要もなくなり、さらにゴミが集塵室から溢れることを低減することができる。【選択図】図１
2006320454.tif 000002
【特許請求の範囲】
【請求項１】
ごみが集塵される集塵室と、吸込み力を発生させる電動送風機と、前記電動送風機を駆動する駆動手段と、前記集塵室のゴミ量を風量で検出するゴミ集塵量検出手段と、塵埃を検出するごみ検出手段と、前記ごみ検出手段からの信号を受けて複数段階に吸込み力を可変する制御手段とを備え、ごみ検出手段によって吸込み力が可変するように動作する動作ポジションにおいて、前記ゴミ集塵量検出手段の出力によって、報知または吸込み力を変化させることを特徴とする電気掃除機。
【請求項２】
風量検出を、予め設定した２つ以上の吸込み力の状態で行い、風量検出時にゴミ検出手段からの信号が入力された場合には、風量が検出可能な予め設定した吸込み力に変化させることを特徴とする請求項１記載の電気掃除機。
【請求項３】
風量検出を予め設定した吸込み力の状態になったときにのみ行い、制御手段が判断するまでにゴミ検出手段からの信号が入力されて吸込み力が可変された場合には、風量検出を一旦中止し、再度固定された吸込み力の状態になってから風量検出を再開することを特徴とする請求項１記載の電気掃除機。
【請求項４】
風量検出は予め設定した吸込み力の状態になったときにのみ行い、風量検出時に、制御手段が判断するための一定時間は、ごみ検出手段からの信号が入力されても吸込み力を可変させないことを特徴とする請求項１記載の電気掃除機。
【請求項５】
風量検出を周期的に行い、一度検出した後、予め設定している時間が経過し、且つ予め設定している吸込み力になった場合に次の検出を行うことを特徴とする請求項１記載の電気掃除機。
【請求項６】
電源電圧を検出する電圧検出手段を備え、風量検出により報知する値は電圧検出手段からの信号によって補正することを特徴とする請求項１〜５のいずれか１項に記載の電気掃除機。
【請求項７】
電源電圧を検出する電圧検出手段を備え、電流値が略同じになるように位相値を電圧検出手段からの信号によって補正することを特徴とする請求項１〜５のいずれか１項に記載の電気掃除機。
【発明の詳細な説明】
【技術分野】
【０００１】
本発明は、電気掃除機に関するもので、特にごみ集塵量報知の制御に関するものである。
【背景技術】
【０００２】
従来、この種の電気掃除機は、図５に示すように掃除機本体１０１に電動送風機１０２と信号処理部１０３がある制御回路１０４が内蔵され、手元操作部１０５と掃除機本体１０１を接続するホース１０６と、吸込み具１０７に内蔵されている電動機１０８と、電動機１０８によって回転する塵埃をかきあげる回転ブラシ１０９と吸込み具１０７と手元操作部１０５を接続する延長管１１０とから構成されており、手元操作部１０５によって電動送風機１０２の吸込み力コントロールや電動機１０８回転の有無を制御している。また手元操作部では「切」、「おまかせ」、「強」、「弱」ポジション等の複数の吸込み力が選択可能で「強」ポジションではゴミ集塵での風量低下による吸込み力の低減を行うために、風量を電動送風機１０２の電流検知手段１１１によって検知し、吸込み力を上げるように制御を行っているものがほとんどである。また近年では電流検知によって風量が検出できることを利用し、ゴミが集塵され電流値が低減されて、予め設定された電流値以下になるとゴミ捨てを報知したり、吸込み力を低減させたりする使い勝手を考えた制御も行われている。さらには「おまかせ」、「弱」ポジションでは集塵経路内にゴミの通過を検出するゴミ検出手段１１２によってゴミがあるときには吸込み力を上げて掃除を行うように、集塵効率を向上させる制御も行われている（例えば、特許文献１参照）。
【特許文献１】特開２００２−２４８０７０号公報
【発明の開示】
【発明が解決しようとする課題】
【０００３】
しかしながら、前記従来の構成においては、ゴミ検出手段によって吸込み力が可変する「おまかせ」ポジションでは吸込み力変化による電流変化があるため、風量変化による電流変化の検出が困難であったため報知を行わず、ゴミ集塵確認は「強」ポジションで確認を行なうようにしていた。よってゴミ集塵量を確認するために手元操作を行なわないと確認できないという不具合があった。
【０００４】
また「おまかせ」ポジションで掃除をしているとゴミ量報知ができないため、ごみの集塵室を頻繁に確認しないと、ごみが入り過ぎてしまい、ごみが集塵室よりあふれてしまう不具合があった。
【０００５】
本発明は、前記従来の課題を解決するもので、ゴミ検出手段によって吸込み力が可変する「おまかせ」ポジションでも風量を検出し、ゴミ集塵量による報知を行う使い勝手の高い電気掃除機を提供するものである。
【課題を解決するための手段】
【０００６】
前記従来の課題を解決するために、本発明の電気掃除機は、ごみが集塵される集塵室と、吸込み力を発生させる電動送風機と、前記電動送風機を駆動する駆動手段と、前記集塵室のゴミ量を風量で検出するゴミ集塵量検出手段と、塵埃を検出するごみ検出手段と、前記ごみ検出手段からの信号を受けて複数段階に吸込み力を可変する制御手段とを備え、ごみ検出手段によって吸込み力が可変するように動作する動作ポジションにおいて、前記ゴミ集塵量検出手段の出力によって、報知または吸込み力を変化させることを特徴とするものである。これによって複数のポジションでゴミ集塵量報知が行うことができる。
【発明の効果】
【０００７】
本発明の電気掃除機は、ごみ検出手段によって吸込み力が可変するように動作する動作ポジションにおいて、ゴミ集塵量検出手段の出力に応じて、報知または吸込み力を変化させることで、ゴミ検出手段によって省エネができる使用者におすすめの自動制御ポジションでもゴミ集塵量報知が行われ、ゴミ集塵量を確認するためにポジションを変える必要もなくなり、さらにゴミが集塵室から溢れることを低減することができる。
【発明を実施するための最良の形態】
【０００８】
第１の発明は、ごみが集塵される集塵室と、吸込み力を発生させる電動送風機と、前記電動送風機を駆動する駆動手段と、前記集塵室のゴミ量を風量で検出するゴミ集塵量検出手段と、塵埃を検出するごみ検出手段と、前記ごみ検出手段からの信号を受けて複数段階に吸込み力を可変する制御手段とを備え、ごみ検出手段によって吸込み力が可変するように動作する動作ポジションにおいて、前記ゴミ集塵量検出手段の出力によって、報知または吸込み力を変化させることにより、ゴミ検出手段によって省エネができる使用者におすすめの自動制御ポジションでもゴミ集塵量報知が行われ、ゴミ集塵量を確認するためにポジションを変える必要もなくなり、さらにゴミが集塵室から溢れることを低減することができる。
【０００９】
第２の発明は、風量検出を、予め設定した２つ以上の吸込み力の状態で行い、風量検出時にゴミ検出手段からの信号が入力された場合には、風量が検出可能な予め設定した吸込み力に変化させることにより、予め設定するゴミ集塵量設定が少なくてすむことでマイクロコンピュータのプログラムが簡素化でき、信頼性の高いおすすめ自動制御ポジションでのゴミ集塵量報知が行える。
【００１０】
第３の発明は、風量検出を予め設定した吸込み力の状態になったときにのみ行い、制御手段が判断するまでにゴミ検出手段からの信号が入力されて吸込み力が可変された場合には、風量検出を一旦中止し、再度固定された吸込み力の状態になってから風量検出を再開することにより、予め設定するゴミ集塵量設定が最小値ですむことでマイクロコンピュータのプログラムが簡素化でき、より信頼性の高いおすすめ自動制御ポジションでのゴミ集塵量報知が行える。
【００１１】
第４の発明は、風量検出は予め設定している固定された吸込み力の状態になったときにのみ行い、風量検出時には、制御手段が判断するための一定時間はごみ検出手段からの信号が入力されても吸込み力を可変しないように動作することにより、予め設定するゴミ集塵量設定が最小値ですみ、さらにマイクロコンピュータのプログラムが簡素化できるだけでなく、安定した状態でゴミ集塵量検知が行われるため、精度が高く信頼性の高いおすすめ自動制御ポジションでのゴミ集塵量報知が行える。
【００１２】
第５の発明は、風量検出を周期的に行い、一度検出した後、予め設定している時間が経過し、且つ予め設定している吸込み力になった場合に次の検出を行うことにより、ゴミ集塵量検知を行いつつ、ごみ検出手段による吸込み力変化をしない状態を極力少なくすることができる。
【００１３】
第６の発明は、電源電圧を検出する電圧検出手段を備え、ごみ集塵量の検出により報知する値は電圧検出手段からに信号によって補正することにより、電源電圧がばらつく地域においても安定したゴミ集塵量で報知することができる。
【００１４】
第７の発明は、電源電圧を検出する電圧検出手段を備え、電流値が略同じになるように位相値を電圧検出手段からの信号によって補正することにより、電源電圧がばらつく地域においても安定したゴミ集塵量で報知することができる。
【００１５】
以下、本発明の実施の形態について、図面を参照しながら説明する。なおこの実施の形態によって本発明が限定されるものではない。
【００１６】
（実施の形態１）
図１は、本発明の第１の実施の形態における電気掃除機の回路ブロック図、図２に電気掃除機の外観図を示すものである。
【００１７】
図２において、１は電気掃除機本体であり、２は吸引力を発生させ、塵埃を集塵室（図示せず）に集塵するための電動送風機を内蔵している。３はホースであり、前記電動送風機２の吸引力の強さである「強」、「おまかせ」、「弱」などの運転ポジションを切り替える手元操作部４と掃除機本体１を接続している。６は床面に接して被掃除面の塵埃等を吸引させるための吸込み具であり、被掃除面の塵埃をかきあげる回転ブラシ７と回転ブラシ７を駆動する電動機８を内蔵している。前記回転ブラシ７はベルト（図示せず）などを介して、前記電動機８により駆動されたり、あるいは前記回転ブラシ７内に電動機８を内蔵し、ギア（図示せず）などを介して前記回転ブラシ７を駆動させる方法などがある。５は延長管で、前記吸込み具６と前記ホース４とを連通させており伸縮可能になっている。
【００１８】
手元操作部４を操作し、前記電動送風機２および電動機８を駆動させることで、吸込み具６から被掃除面の塵埃はかきあげられ、前記塵埃は、延長管５、ホース３を通って電気掃除機本体１へと運搬され、塵埃は電気掃除機本体１内に内蔵された集塵室（図示せず）に集塵されるとともに、吸込み風は前記電気掃除機本体１より排出される。前記手元操作部４からの操作を受けて、電動送風機２および電動機８の動作を制御している制御回路９は掃除機本体１に内蔵されている。また吸込み具６には吸込み具本体９と狭い隙間を掃除できるように子ノズル１０が着脱可能に備えており、「おまかせ」ポジションではこの吸込み具６の状態「離床」、「着床」、「子ノズル」よって運転モードを切り替えている。吸気経路内にはゴミの通過を検出するためのゴミ検出手段１１を備えており、ゴミ検出手段１１でゴミが検出されないときには前記電動送風機２や電動機８の電力を小さくしておき、検出したら前記電動送風機２や電動機８の吸込み力を上げることでゴミがないときの消費電力を抑え、省エネも行っている。
【００１９】
また図１において、本実施例の電気掃除機は、電気掃除機本体１、手元操作部４を備えたホース３、延長管５、吸込み具６の４つのブロックに分けられ、１２は回転ブラシ７を回転駆動させる電動機８を位相制御するための電動機駆動手段である。１３は吸込み力を発生させる電動送風機２を位相制御するための電動送風機駆動手段であり電動送風機２と直列に接続されている。１４は電動送風機２の電流変化によって風量を検出する風量検出手段（ゴミ集塵量検出手段）で電動送風機２と直列に接続されている。１５は電動送風機２および電動機８に供給する電力を制御する制御手段であるマイクロコンピュータであり、手元操作部４のスイッチ操作情報およびゴミ検出手段１１からのゴミ通過情報、電動送風機２の電流情報を取り込み、その情報をもとに、電動機駆動手段１２および電動送風機駆動手段１３へ位相制御ための点弧パルスを出力し、制御を行っている。風量検出手段１４はカレントトランス等で電流を電圧変換し、整流、平滑して電流情報をマイクロコンピュータ１５に入力している。ゴミ検出手段１１は発光素子と受光素子を備えて、ゴミの通過によって遮られる光の量を電圧変換して、設定された電圧変化以上あったときにはマイクロコンピュータ１５にパルス波形として入力するようになっている。
【００２０】
１６は手元操作部４の信号を制御回路１１に伝達するための第１の直流電源装置でコモンラインを基準に負電源で構成されている。またこの第１の直流電源装置１６は本体１とホース３の接点の信頼性を向上させるために１２Ｖ以上の負電源としている。１７はマイクロコンピュータ１５の電源となる第２の直流電源装置であり、第１の直流電源装置１６から降圧して作成しており、コモンラインを基準に負電源となっている。１８は電気掃除機に電力を供給する商用電源である。
【００２１】
以上のように構成された電気掃除機について、以下その動作、作用を説明する。
【００２２】
手元操作部４には、図１に示すように複数のスイッチＳＷ１〜ＳＷ３と抵抗ｒ１〜ｒ４が内蔵されており、本体１側の回路に内蔵された抵抗Ｒとの分割電圧の変化によって手元操作がどのように行われているかを認識し、電動機駆動手段１２および電動送風機駆動手段１３にマイクロコンピュータ１５から信号が出力され、電動送風機２および電動機８を手元操作に応じた吸込み力で動作を行う。電動機８の動作ラインには電動機８と直列に接続された安全スイッチ３３があり、安全スイッチ３３の前後に図１に示すように抵抗ｒ５とｒ６、子ノズル１０にはｒ７が内蔵されており、本体１側の回路に内蔵された抵抗Ｒ２およびＲ３との分割電圧の変化によって安全スイッチ３３がＯＮされているか、電動機８が回転されているか、子ノズル１０のみで動作されているかをマイクロコンピュータ１５は認識し、電動送風機２の吸込み力を制御している。ここで上記安全スイッチ３３のＯＮ／ＯＦＦや電動機の回転を認識するためおよび、手元操作信号を確実に伝達するために電動機８は一定時間のＯＦＦ期間を有している。これはホース３には抵抗成分が存在するため電動機８に電流を流すと、抵抗成分で電圧降下が生じ直流成分に交流成分が重畳されてしまうために、手元操作が正常に伝達されなくなってしまうからである。またこの一定期間のＯＦＦの中で分割電圧で吸込み具６の状況を認識することも同時に行っている。手元操作部４のＳＷ１〜ＳＷ３には「強」「おまかせ／弱」「切」の切り替えが可能になっておりＳＷ３である「強」スイッチを押すと分割電圧変化でマイクロコンピュータ１５に認識され、電動送風機２と電動機８に位相制御信号で動作するように電動機駆動手段１２と電動送風機駆動手段１３に信号を伝達し、位相制御された電圧で電動送風機２と電動機８は動作を行う。
【００２３】
強ポジションは最大の吸い込み力がでるポジションでありゴミ検出手段１１によっての吸い込み力の変化は行わなく開放風量時には９００Ｗ程度になっている。ゴミが集塵室に蓄積されると風量が低下するため電動送風機２の電流値は低減していく。よってこの電流変化を風量検出手段１４で検出することで風量が検出できるため風量低下によって吸い込み力が低下しないように１１５０Ｗまで風量低下とともに入力が上昇するように位相値を変化させている。また風量低下とともにごみの集塵量が検出できるためマイクロコンピュータ１５は電流値が予め設定している第２の電流値以下になった場合には、集塵室のごみを捨ててもらうように報知し、さらに、第１の電流値以下になったら集塵室からごみがあふれる前に吸い込み力を低下させるように動作する。次にＳＷ２である「おまかせ／弱」スイッチを押すと分割電圧変化でマイクロコンピュータ１５に認識され、電動送風機２と電動機８に位相制御信号で動作するように電動機駆動手段１２と電動送風機駆動手段１３に信号を伝達し、位相制御された電圧で電動送風機２と電動機８は動作を行う。おまかせポジションは省エネを考えた、おすすめのポジションになっており、吸い込み具６の状態とゴミ検出手段１１からの情報によって電動送風機２と電動機８のパワーを可変するようになっている。吸い込み具６の状態が離床の時には電動送風機２の吸い込み力は小さくなっており開放時２７５Ｗ位相で動作させている。着床の時には開放時４４０Ｗ位相であり、風量低下でよって吸い込み力が低下しないように風量検出手段１４によって風量が低下したことを検出すると入力を開放５５０Ｗになるように位相を可変させている。子ノズルの時には隙間のゴミが取れやすいように開放６００Ｗの位相、延長間のみの時には開放２７５Ｗ位相になっている。それぞれの吸い込み具６の状態によっての動作モードにおいては、ゴミ検出手段１１からの信号を受けて入力は上昇するようになっており、本発明はこの動作モード時の制御がポイントである。このポイントについては後ほど述べる。再度ＳＷ２を押すと弱ポジションとなり開放２００Ｗ位相で動作し再クリックでおまかせポジションと弱ポジションと交互に変化する。各ポジションのゴミ検出手段１１からの入力がない場合の入力−風量特性を図３に示す。おまかせポジションでの動作は通常時にはゴミ検出手段１１からの信号はゴミの量が多いときには多くのパルス波形がマイクロコンピュータ１５に入力され、そのパルス数に応じてアップする入力値を複数値で決定しているが、風量を検出するときにはゴミ検出手段１１からの検出がない５５０Ｗ位相値と、ゴミ検出手段１１からの検出があった場合の７５０Ｗの２つの位相値しか変化しないようになる。５５０Ｗと７５０Ｗの位相値での電流−風量特性は予め標準的な電動送風機２にて確認しており、第１の設定電流以下になると風量が低下したと判断して集塵室のごみを捨てるように報知を行う。
【００２４】
さらに電流が低下し第２の設定電流以下になるとごみが集塵室から溢れるのを防止するために入力を低減させる。風量検出の判断は電流変化の安定などを考慮し５秒程度で検出しており、１分間隔程度で行っている。風量検出信号の安定のために入力が変動して安定する一定期間は検出は行わないことはいうまでもない。図４に風量検出時の入力変動動作説明図を示す。よって風量検出を行っていないときは、ゴミ検出手段１１からのゴミの量に応じて複数の位相に可変するが、風量検出する５秒間は２つの位相にしか変化しないようになる。風量検出によって集塵室のゴミの量が多いと判断された場合には報知を行っているが、ここでゴミ検出手段１１からの信号が入力されて位相値が変わった場合には報知は継続的に行い、次回の風量検知を行うまでは電流値にかかわらず継続するようにしている。またこの状態で子ノズル時の６００Ｗになった場合にも報知は継続して行い、上記着床と同じように６００Ｗと８００Ｗの位相値で風量検出を行うまでは電流値にかかわらず継続する動作にしている。離床時も同動作であるため説明は省略する。入力が低減されている状態で、モードを変えると入力は初期状態に戻るが報知は継続して行うようにしている。また報知を行っている状態で強ポジションに操作されたときにも同様に、強ポジションで再度風量検出されるまでは報知は継続して行うように動作している。なお動作モードおよびポジション変更による吸い込み力変化によっての報知継続は、タイマー値で決定してもよいことは言うまでもない。
【００２５】
更に報知状態で停止を行うと一定時間報知を継続した後消灯する。報知の停止や入力低減からの復帰も同様に風量検知して行うことはいうまでもない。ここで電源電圧が変動した場合は、位相が同じ場合には電流が変化してしまうため、電源電圧検出手段１９によって電源電圧を検出して第１の設定電流と第２の設定電流を補正し、狙いの風量で報知および入力低減を行う。また電流が変化しないように電源電圧によって位相値を補正すれば、第１の設定電流と第２の設定電流を補正しなくもよくなる。図５に電圧変動時の入力特性図を示す。次に電動送風機２のばらつきによる風量補正について説明する。第１の設定電流と第２の設定電流を記憶する記憶手段２０を備えており、各々の吸い込み力状態で狙いの風量のときにそのときの電流値を記憶させればよいのはいうまでもないがそうすると調整が多くなってしまい生産性が低下してしまう。調整をすくなくするためにあらかじめ標準の電動送風機２で入力を変えたときの負荷曲線によって必要な入力での風量変化は導き出しておき、さらに第１の設定電流は第２の設定電流の差も導き出しておけば第２の設定電流を１箇所記憶させればすべての補正が行える。またこの１箇所も強ポジションでの第２の設定電流を記憶させることで行える。図６に電動送風機２が高入力時の場合の風量調整を説明する入力特性を示す。
【００２６】
以上のように、本実施例の形態においてはゴミ検出手段１１によって吸い込み力が変化する、おまかせポジションによって風量検出を２つの固定された吸い込み力で風量を検出することでゴミ集塵量報知が行われ、ゴミ集塵量を確認するためにポジションを変える必要もなくなり、さらにゴミが集塵室から溢れることを低減することができるだけでなく、マイクロコンピュータ１５のプログラムも簡素化でき信頼性も向上する。またモードやポジションを変えたときの報知が継続して行えるため、使用者は報知確認が容易になる。さらには電源電圧による報知風量の補正や、電動送風機２のばらつき補正をすることで、精度の高いゴミ集塵量報知を行える。
【００２７】
（実施の形態２）
図７は、本発明の第２の実施の形態における動作説明図である。なお、上記実施の形態と同一部分は、同一符号を付してその説明は省略する。
【００２８】
図７に示すようにおまかせポジション（着床）で掃除を行う際にゴミ検出手段１１に信号が入力されないで５５０Ｗの位相になったときに風量検出手段１４によって風量検出を行う。風量検出の判断は電流変化の安定などを考慮し５秒程度で検出しており、５秒以内でゴミ検出手段１１に信号が入力され、入力が上昇すると風量検出は一旦中断し、再度５５０Ｗの位相になった時点で再開し、検出時間がトータルで５秒以上経過し判断できた時点で報知および入力低減を行うように動作する。ここで風量検出するタイミングはマイクロコンピュータ１５が決定しており、風量検出終了後１分以上経過し、さらに５５０Ｗの位相になったときに風量検出を行うようにしている。さらに報知の停止や入力低減からの復帰も同様に検出して行う。おまかせの他のモードも同様の動作となっている。
【００２９】
以上のように、本実施例の形態においては、風量検出する位相を最小の１つとすることで標準の電動送風機２で予め設定する第１と第２の設定電流が最小値ですむことでマイクロコンピュータのプログラムが簡素化でき、より信頼性の高いおすすめ自動制御ポジションでのゴミ集塵量報知が行える。
【００３０】
（実施の形態３）
図８は、本発明の第３の実施の形態における動作説明図である。なお、上記実施の形態と同一部分は、同一符号を付してその説明は省略する。
【００３１】
図８に示すようにおまかせポジション（着床）で掃除を行う際にゴミ検出手段１１に信号が入力されないで５５０Ｗの位相になったときに風量検出手段１４によって風量検出を行う。風量検出の判断は電流変化の安定などを考慮し５秒程度で検出しており、風量検出中の５秒以内でゴミ検出手段１１に信号が入力されても風量検出する５秒間は、入力が上昇にしないようにし、風量検出が終了した時点でゴミ検出手段１１からの信号を受けて入力が上昇するようになる。ここで風量検出するタイミングはマイクロコンピュータ１５が決定しており、風量検出終了後１分以上経過し、さらに５５０Ｗの位相になったときに風量検出を行うようにしている。
【００３２】
尚、本実施の形態において、ゴミ量を風量により検出する説明をしたが、この風量は、直接、電流、電動送風機の回転数または圧力等でも検出できるものであり、このような場合も風量検出と言えるものである。
【産業上の利用可能性】
【００３３】
以上のように、本発明に係る電気掃除機は、標準の電動送風機で予め設定する第１の設定電流、第２の設定電流が最小値ですみ、さらにマイクロコンピュータのプログラムが簡素化できるだけでなく、安定した状態でゴミ集塵量検知が行われるため、精度が高く信頼性の高いおすすめ自動制御ポジションでのゴミ集塵量報知が行える。
【図面の簡単な説明】
【００３４】
【図１】本発明の実施の形態１における電気掃除機の回路ブロック図
【図２】同実施の形態における電気掃除機の外観図
【図３】同実施の形態における各ポジションおよびモード時の入力特性図
【図４】同実施の形態における風量検出時の入力変動説明図
【図５】同実施の形態における電圧変動時の入力特性図
【図６】同実施の形態における高入力電動送風機時の風量調整入力特性図
【図７】本発明の実施の形態２における風量検出時の入力変動説明図
【図８】本発明の実施の形態３における風量検出時の入力変動説明図
【図９】従来の電気掃除機の外観図
【符号の説明】
【００３５】
２    電動送風機
１１  ゴミ検出手段
１３  電動送風機駆動手段
１４  風量検出手段（ゴミ集塵量検出手段）
１９  電圧検出手段
２０  記憶手段
【図１】
2006320454.tif 000003
【図２】
2006320454.tif 000004
【図３】
2006320454.tif 000005
【図４】
2006320454.tif 000006
【図５】
2006320454.tif 000007
【図６】
2006320454.tif 000008
【図７】
2006320454.tif 000009
【図８】
2006320454.tif 000010
【図９】
2006320454.tif 000011